(57)【要約】【課題】除湿効果に優れた衣服用吸湿シート体を提供することにある。【解決手段】衣服用ハンガー類６０に対して垂下状態で使用される衣服用吸湿シート体１００であって、２枚の吸湿シート１の縁部２が部分的に接合されてなる袋状であって、衣服用ハンガー類６０を挿通させるための首側開口部３０と、首側開口部３０と対向する裾側開口部とを有する。【選択図】図１
2018202343.tif 000002
【特許請求の範囲】
【請求項１】
衣服用ハンガー類に対して垂下状態で使用される衣服用吸湿シート体であって、
２枚の吸湿シートの縁部が部分的に接合されてなる袋状であって、
前記衣服用ハンガー類を挿通させるための首側開口部と、前記首側開口部と対向する裾側開口部とを有することを特徴とする衣服用吸湿シート体。
【請求項２】
前記吸湿シートは、２枚の基材シートの間に吸湿層が形成されてなり、一方の基材シートの片面に表面層を備える
請求項１に記載の衣服用吸湿シート体。
【請求項３】
前記衣服用吸湿シート体の表面は前記表面層で構成され、前記衣服用吸湿シート体の裏面は前記基材シートで構成されている
請求項２に記載の衣服用吸湿シート体。
【請求項４】
前記吸湿層はシリカゲルを含有する
請求項２または３に記載の衣服用吸湿シート体。
【請求項５】
前記吸湿シートは、吸湿センサーを備えている
請求項１〜４のいずれか一項に記載の衣服用吸湿シート体。
【請求項６】
前記吸湿シートは、消臭機能を有する
請求項１〜５のいずれか一項に記載の衣服用吸湿シート体。
【発明の詳細な説明】
【技術分野】
【０００１】
本発明は、衣服用吸湿シート体に関する。
【背景技術】
【０００２】
従来、ジャケット等の衣服の湿気や臭いを除去するために、衣服用防湿マットが使用されている。本出願人は、略長方形状の一方の短手側の縁に向かって、長手側の両側縁を斜めに切断した形状の吸湿性を有する吸湿シートと、前記吸湿シートの前記一方の短手側縁の近傍に、衣服用ハンガーの肩部に繋止するための第１取付部と、を備えた衣服用防湿マットについて特許出願している（特許文献１）。
【０００３】
ところが、本出願人が上記衣服用防湿マットについて研究を重ねたところ、除湿効果についてさらに改良の余地があることを突き止めた。
【先行技術文献】
【特許文献】
【０００４】
【特許文献１】特開２０１５−８４９２３号公報
【発明の概要】
【発明が解決しようとする課題】
【０００５】
本発明は、上記の課題に鑑み、除湿効果に優れた衣服用吸湿シート体を提供する。
【課題を解決するための手段】
【０００６】
本発明の一態様に係る衣服用吸湿シート体は、衣服用ハンガー類に対して垂下状態で使用される衣服用吸湿シート体であって、２枚の吸湿シートの縁部が部分的に接合されてなる袋状であって、前記衣服用ハンガー類を挿通させるための首側開口部と、前記首側開口部と対向する裾側開口部とを有することを特徴としている。
【発明の効果】
【０００７】
本発明の一態様に係る衣服用吸湿シート体は、除湿効果に優れている。
【図面の簡単な説明】
【０００８】
【図１】本発明の実施形態に係る衣服用吸湿シート体の正面図である。
【図２】本発明の実施形態に係る衣服用吸湿シート体の斜視図である。
【図３】本発明の実施形態に係る衣服用吸湿シート体の斜視図である。
【図４】本発明の実施形態に係る衣服用吸湿シート体の吸湿シートの概略構成を示す断面図である。
【発明を実施するための形態】
【０００９】
＜概要＞
本発明の一態様に係る衣服用吸湿シート体は、衣服用ハンガー類に対して垂下状態で使用される衣服用吸湿シート体であって、２枚の吸湿シートの縁部が部分的に接合されてなる袋状であって、前記衣服用ハンガー類を挿通させるための首側開口部と、前記首側開口部と対向する裾側開口部とを有することを特徴としている。
【００１０】
この態様によれば、衣服用吸湿シート体は、２枚の吸湿シートの外周である縁部のみが部分的に接合され、２枚の吸湿シートの表面同士は接合されていない袋状であるため、立体的であり、衣服用吸湿シート体の内部に空気が流れる空気層ができる。したがって、衣服用吸湿シート体に衣服を吊り下げた場合に、１枚の吸湿シートのみからなる従来の衣服用除湿シートよりも、衣服と密着しやすく、衣服との接触面積が増えるため、衣服の湿気が空気層を伝って外部に逃げるやすく、除湿効果に優れている。
【００１１】
＜実施形態＞
以下に本発明の一態様である衣服用吸湿シート体について、図面を参照しながら詳細に説明する。なお、本発明は、以下の実施形態に限定されるものではない。
【００１２】
図１は、本実施形態に係る衣服用吸湿シート体の正面図である。図２は、本実施形態に係る衣服用吸湿シート体を側方からみた斜視図である。図３は、本実施形態に係る衣服用吸湿シート体を裾側からみた斜視図である。図４は、本実施形態に係る衣服用吸湿シート体の吸湿シートの概略構成を示す断面図である。
【００１３】
１．全体構成
本実施形態の衣服用吸湿シート体１００は、図２及び図３に示すように、人の上半身をかたどった略矩形状の２枚の吸湿シート１を部分的に貼り合わせてなる。
【００１４】
衣服用吸湿シート体１００は、図１に示すように、頭部１０１が直線状で、肩部１０２はなだらかな曲線状で、脇部１０３は下側（裾側）に行くに従い幅狭になり、下端の裾部１０４は直線状である。
【００１５】
衣服用吸湿シート体１００の肩部１０２には、図２に示すように、型くづれ防止等の観点から、まち（襠）部１ａが設けられている。まち部１ａの幅は、約３〜４ｃｍ程度である。まち部１ａは、吸湿シート１と同じ部材で形成されている。まち部１ａは、吸湿シート１と一体であっても、別に成形してもよい。
【００１６】
衣服用吸湿シート体１００は、２枚の吸湿シート１の外周である縁部２同士を部分的に接合してなり、開口部３０，４０，５０を有する袋状である。
【００１７】
２．開口部
開口部３０，４０，５０は、２枚の吸湿シート１の縁部２同士を接合していない非接合部に相当する。
【００１８】
首側開口部３０は、衣服用ハンガー６０の吊り部（フック）６１を挿通させるための開口である。
【００１９】
裾側開口部４０は、首側開口部３０と対向する開口であり、衣服用ハンガー６０に対して垂下状態で吊り下げられた際に裾側（下端）の開口である。
【００２０】
脇側開口部５０は、肩部１０２の端から脇部１０３の中央付近にかけて開口しており、衣服用ハンガー６０を挿通させる等の開口である。
【００２１】
３．吸湿シート
吸湿シート１は可撓性で通気性を備え、内部に吸湿機能を有する材料を備えている。
【００２２】
吸湿シート１は、例えば、図４に示すように、基材シート１２と基材シート１３とが重ね合わせられ、その重ね合わせられた面１４，１５同士の間に、多数の粒状をなすシリカゲル１６が挟持されて吸湿層１１が形成されている。
【００２３】
吸湿シート１は、例えば、基材シート１２と基材シート１３との間に、多数の粒状をなすシリカゲル１６を挟み、縫合や熱溶着などにより固定して吸湿層１１を形成することにより作製することができる。
【００２４】
３−１．基材シート
基材シート１２，１３は、特に限定はないが、通気性を備え、空気や湿分を透過可能なものが好ましく、例えば不織布、織布、編物などが用いられる。
【００２５】
基材シート１２，１３の材質としては、例えば、ポリエチレンテレフタレート（ＰＥＴ）などのポリエステル樹脂、ポリプロピレン樹脂などの合成樹脂、レーヨンなどが使用できる。
【００２６】
基材シート１２はウェブ１７の集合体であり、同じく基材シート１３はウェブ１８の集合体である。
【００２７】
基材シート１３は、図３に示すように、衣服用吸湿シート体１００の裏面、すなわち吸湿シート１の裏面に設けられる。
【００２８】
３−２．吸湿層
吸湿層１１の材質は、吸湿機能を有するものであれば特に限定はなく、例えば、シリカゲルや、ゼオライト、トルマリンなどの天然多孔石、備長炭などの炭材や活性炭、パーライト、ケイ酸ソーダなどが挙げられる。これらは単独でもしくは２種以上併用することができる。これらのなかでも、吸湿機能や消臭機能に優れ、即効性がある点でシリカゲルが好適に用いられる。シリカゲルは水分の他に空気中に飛散する臭いの元であるアンモニア、トリメチルアミン、硫化水素、メルカプタンや、加齢臭の原因となるノネナールガスなども吸着し消臭機能をも有する。
【００２９】
吸湿層１１は、図４に示すように、基材シート１２，１３間において層状をなし、基材シート１２，１３の対向面１４，１５間に全体に亘り均一に分布してなる多数のシリカゲル１６の集合体である。シリカゲル１６を上下両側から矜持した状態において、基材シート１２，１３の対向面１４，１５は、図４において拡大して示すように、基材シート１２，１３の構成素材であるウェブ１７，１８により互いに縫合されている。
【００３０】
シリカゲル１６を固定するために、基材シート１２と基材シート１３との重合部分にはシリカゲル１６を上下両側から挟持した状態においてニードルパンチが複数箇所に亘って施されている。すなわち各ニードルパンチの箇所において基材シート１２と基材シート１３のウェブ１７，１８同士が機械的に絡み合うことにより、その絡み合った各箇所付近に基材シート１２と基材シート１３とが接合され固定されている。これにより、ウェブ１７，１８により対向面１４と対向面１５との間が縫合された基材シート１２と基材シート１３にてシリカゲル１６は層状をなしたまま移動不能に挟着保持されている。
【００３１】
シリカゲル１６の粒は、多数の微細貫通孔を備えており、高湿度雰囲気下では表面吸着又は毛細管現象により空気中の水分を吸収し、乾燥雰囲気下では吸収した水分を放出し得る機能を有している。そのため、かかる吸湿機能及び放湿機能を良好にするべく、本実施形態におけるシリカゲル１６には微細空間容積が０．５〜１．０ｍｌ／ｇ及び表面積が６５０〜３５０ｍ２／ｇの範囲内にあるものが採用されている。
【００３２】
また、微細貫通孔の孔径は３０〜１２０オングストロームのものが吸湿機能などを良好に発揮する上で好ましい。
【００３３】
このように、多数のシリカゲル１６の粒が基材シート１２と基材シート１３とに挟持されることで、高い吸湿性、防湿性、消臭性を長時間に亘って保つことができる。
【００３４】
吸湿シート１は、天日に干すと吸湿機能が再生し、繰り返し使用することができる。
【００３５】
３−３．表面層
吸湿シート１は、基材シート１２側の表面にポリウレタン層１９を介して、表面層２０が形成されている。表面層２０は吸湿性を備えたものが好ましい。表面層２０は、基材シート１２を覆い、基材シート１２の露出を防ぐ意匠的な役割のほか、基材シート１２保護の役割を有する。表面層２０は、図３に示すように、衣服用吸湿シート体１００の表面、すなわち吸湿シート１の表面に設けられる。
【００３６】
なお、本明細書において、衣服用吸湿シート体の表面とは、袋状の衣服用吸湿シート体の外表面をいい、衣服用吸湿シート体の裏面とは、袋状の衣服用吸湿シート体の内側の表面をいう。
【００３７】
表面層２０の形成材料は特に限定はなく、通気性を備えたものが好ましく、例えば、ポリエステル、レーヨン、綿布などがあげられる。
【００３８】
ポリウレタン層１９は、例えば、シート状に形成したポリウレタンを、フレームラミネート加工等により基材シート１２に接着して形成することができる。
【００３９】
表面層２０は、例えば、ポリエステルなどのシート材をフレームラミネート加工によりポリウレタン層１９に貼り合わせることにより形成できる。
【００４０】
４．衣服用吸湿シート体の寸法
実施形態の衣服用吸湿シート体１００の寸法は、肩幅が約４６ｃｍ、裾部１０４の幅が約３４ｃｍ、頭部１０１から裾部１０４までの丈が約６０ｃｍである。実施形態の衣服用吸湿シート体１００は、人の上半身をかたどった形状をしているが寸法、形状は、特に限定はなく、例えば、ロングドレスや着物などに適した全長の長いものでもよい。
【００４１】
本実施形態の衣服用吸湿シート体は、吸湿効果に優れるため、スーツ、ブレザーなどの上着、濡れた衣類などの湿気や嫌なニオイを取り除くことができ、衣類をサラットすることができる。また、体からでるイヤな臭い（汗の臭い・加齢臭）である酢酸ガス・ノネナールガスにわずか数十分で大きな消臭効果を発揮することができる。また、シリカゲルの調湿機能によりカビやダニの発生を防ぐこともできる。また、本実施形態の衣服用吸湿シート体は、立体的形状でしかも型崩れしにくい。また、小さく折り畳めるため、鞄などに入れて持ち運びが容易であるため、旅行先などでも使用できる。
【００４２】
＜変形例＞
以上、一実施形態に係る衣服用吸湿シート体を説明したが、本発明はこの実施形態に限られるものではなく、例えば、以下のような変形例であってもよい。また、実施形態と変形例とを組み合わせたものでもよいし、変形例同士を組み合わせたものでもよい。また、実施形態や変形例に記載していない例や要旨を逸脱しない範囲の設計変更があっても本発明に含まれる。
【００４３】
１．衣服用ハンガー類
衣服用ハンガー類は、衣服用吸湿シート体を吊り下げることができるものであれば特に限定はなく、例えば、トルソー、マネキン等を使用することもできる。トルソー、マネキンは、洋服を着せる人形の意であるが、トルソーは胴体のみ、マネキンは全身の違いがある。
【００４４】
本実施形態の衣服用吸湿シート体をトルソーなどの人形に使用すれば、衣服用吸湿シート体が立体的形状ゆえ、トルソーなどと密着しやすく、除湿効果がさらに高くなる。
【００４５】
２．衣服用吸湿シート体
実施形態の衣服用吸湿シート体は、まち部１ａを有していたが、まち部１ａは省略してもよい。また、まち部１ａは吸湿シート１と同じ部材で形成したが、異なる部材で形成してもよい。
【００４６】
実施形態の衣服用吸湿シート体は、袖部はないが、袖部を設けても差し支えない。
【００４７】
３．開口部
実施形態の裾側開口部４０の開口度は、裾の一辺（吸湿シート１の短手側の一辺）全体を開口しているが、衣服用吸湿シート体１００の内部に空気層ができれば、裾側開口部４０の開口度は実施形態に限定されるものではない。
【００４８】
なお、実施形態では脇側開口部５０を設けたが、脇部１０３の開口はなくてもよい。
【００４９】
４．吸湿シート
実施形態の吸湿シート１は、基材シート１２側にのみ表面層２０を形成しているが、これに限定されず、基材シート１３側にも表面層２０を形成しても差し支えない。また、表面層２０はポリウレタン層１９を介して基材シート１２側に形成しているが、他の方法で形成してもよい。なお、表面層２０を省略することも可能である。
【００５０】
また、吸湿層１１を構成するシリカゲル１６の固定は、ニードルパンチに限定されず、ホットメルト加工であってもよい。例えば、２枚の基材シートの間に粒状のシリカゲルを挟み込み、２枚の基材シートをエチレン酢酸ビニルなどの熱可塑性プラスチックを接着剤としてホットメルト加工することによって形成してもよい。
【００５１】
また、ポリウレタン層１９や表面層２０の接着は、フレームラミネート加工に限定されるものではなく、例えば、ホットメルトシートやキルティング等の方法により行うこともできる。
【００５２】
５．吸湿センサー
実施形態の衣服用吸湿シート体１００は、吸湿センサーを有していてもよい。吸湿センサーは、例えば塩化コバルトを表面に所定量塗布したものである。塩化コバルトが無水の場合は青色であり、雰囲気中の湿度が増して二水和物となると紫色になり、さらに湿度が増えると六水和物となって桃色となる。この変色を人が視認することで吸湿の度合いを知ることができる。変色によって吸湿の具合が大きくなったと判断すれば、天日干しや乾燥機などの手段を用いて、色の変化を参考に乾燥させることができる。吸湿センサーを設ける位置については特に限定はないが、吸湿シートの中央部ではなく、周辺部に設けることが好ましい。
【符号の説明】
【００５３】
１００  衣服用吸湿シート体
１  吸湿シート
２  縁部
１１  吸湿層
１２  基材シート
１３  基材シート
２０  表面層
３０  首側開口部
４０  裾側開口部
６０  衣服用ハンガー
【図１】
2018202343.tif 000003
【図２】
2018202343.tif 000004
【図３】
2018202343.tif 000005
【図４】
2018202343.tif 000006